(57)【要約】【課題】玄関等扉とその扉枠との間隙の屋外側よりの抉開けにより係止状となり補助錠となり施錠作業を不要とし、主錠と共に取付する屋内側に容易に取付可能とした玄関等扉防犯用係止具の提供。【解決手段】玄関等扉とその扉枠のうち何れか一方に取付する基部及び該基部より突出した先端部に係止傘を有する係止軸よりなる係止軸部材と、他方に取付する基部及び該基部より突出した該玄関等扉と概ね平行としてあり該係止軸を概ね直交状に挿通可能の大きさとしてある係止孔を穿孔した係止板よりなる係止板部材とよりなり、玄関等扉とその扉枠とに該玄関等扉を閉じた状態において係止板部材の係止孔に該係止板と概ね直交に係止軸部材の係止軸を係止傘と係止軸部材基部との間において挿通状となるよう係止軸部材と係止板部材とを其々の基部を介して取付けした玄関等扉防犯用係止具とする。【選択図】  図１
2004346564.tif 000002
【特許請求の範囲】
【請求項１】
玄関等扉とその扉枠のうち何れか一方に取付する基部及び該基部より突出した先端部に係止傘を有する係止軸よりなる係止軸部材と、他方に取付する基部及び該基部より突出した該玄関等扉と概ね平行としてあり該係止軸を概ね直交状に挿通可能の大きさとしてある係止孔を穿孔した係止板よりなる係止板部材とよりなり、玄関等扉とその扉枠とに該玄関等扉の閉扉状態において係止板部材の係止孔に該係止板と概ね直交に係止軸部材の係止軸を係止傘と係止軸部材基部との間において挿通状となるよう係止軸部材と係止板部材とを其々の基部を介して取付け可能としたことを特徴とする玄関等扉防犯用係止具。
【請求項２】
主として屋外側に開扉する外開の玄関等扉の屋内側面に取付する基部及び該基部より突出した先端部に係止傘を有する係止軸よりなる係止軸部材と、該玄関等扉の屋内側に戸当りとしてある戸当部を有す扉枠に取付する基部及び該基部より突出した該玄関等扉の屋内側面と概ね平行の係止孔を穿孔した係止板よりなる係止板部材とよりなることを特徴とする請求項１記載の玄関等扉防犯用係止具。
【請求項３】
主として屋内側に開扉する内開の玄関等扉の屋内側面に取付する基部及び該基部より該玄関等扉の内側面外部に伸出した該玄関等扉の屋内側面と概ね平行の係止孔を穿孔した係止板よりなる係止板部材と、該玄関等扉の扉枠屋内側の該玄関等扉の屋内側面と概ね平行の面に取付する基部及び該基部より垂直に突出した先端部に係止傘を有する係止軸よりなる係止軸部材とよりなることを特徴とする請求項１記載の玄関等扉防犯用係止具。
【請求項４】
係止傘の係止軸の軸線方向よりの輪郭を多角形とし且つ係止孔を該係止傘の輪郭の概ね拡大相似形としてあることを特徴とする請求項１乃至請求項３記載の玄関等扉防犯用係止具。
【発明の詳細な説明】
【０００１】
【発明の属する技術分野】
本発明は、玄関等扉及びその扉枠に取付し、該玄関等扉の抉開けによる施錠機構の無力化に対処する玄関等扉防犯用係止具に関するものである。
【０００２】
【従来の技術】
外開又は内開の玄関等扉には施錠機構が設けられており防犯上の観点より鍵及びシリンダーについては近年多発している正規鍵を用いない施錠解除手段である所謂ピッキング手段を用い屋内に侵入する窃盗事件に対して該手段による施錠解除を困難とし時間を要するものとした改良を施したものが種々提案され実施されているが、通常の施錠機構は玄関等扉及びその扉枠とを該玄関等扉に設けた錠箱より該扉枠に設けた受けとしてあるストライクプレートにかけデッドボルト及びラッチボルト等の錠片を鍵等による施錠により突出させ係合させることにより施錠状態としており、該玄関等扉及びその扉枠との間隙において屋外側より視認可能の露出状となっており施錠状態にある玄関等扉の屋外側よりバール等の工具を該玄関等扉の施錠機構付近の該間隙に差込し該玄関等扉及びその扉枠のうち少なくとも一方を歪め拡開することにより該施錠機構のストライクプレートとデッドボルト及びラッチボルト等との係合を解除する抉開け手段により該施錠機構を容易かつ迅速に無力化することが可能であり、該手段を用い屋内に侵入する窃盗事件が近年増加している。
【０００３】
前記事態に対し防犯上の観点より上述の通常の施錠機構の主錠と共に他の施錠機構として補助錠を取付することが望ましく、玄関等扉に設けられた主錠の施錠によって複数の錠箱よりなる補助錠のデッドボルトおよびラッチボルトが外玄関等扉の扉枠に設けられたストライクプレートにかけ係止状に突出することにより該玄関等扉とその扉枠とを複数箇所において係止状とする施錠機構が提案され実施されているが（例えば、特許文献１参照。）、該施錠機構の様に主錠と同様の玄関等扉とその扉枠間のストライクプレートとデッドボルト及びラッチボルトの係合する補助錠を取付することも可能であるが補助錠の無い又は増設する玄関等扉に主錠と同様の補助錠を取付することは該玄関等扉及びその扉枠を加工する必要があり容易に取付することは出来ないため好ましくない為、補助錠の無い又は増設する玄関等扉及びその扉枠の屋外側面に取付する主錠と同様にデッドボルト等による係止により施錠する補助錠についても種々提案され実施されているが、これら補助錠を伴う施錠機構は補助錠も主錠と同様に抉開け可能であり、また主錠と同様の機構を有する為に補助錠が高価となり設置に際してコスト負担が大となり、更に屋外側扉面に取付する施錠機構については施錠機構が屋外側に露出する為に該施錠機構の破壊による施錠解除がされ得ると共に、施錠を主錠と補助錠とにする必要があり施錠者の施錠負担が増し補助錠の施錠をしない或は施錠頻度の増加に伴う施錠忘れが起こり得、また玄関等扉の外観をも損ねる。
【０００４】
【特許文献１】
特開２００１−１６４８０８号公報
【０００５】
【発明の解決しようとする課題】
そこで本発明は玄関等扉の主錠と共に取付する補助錠は屋外側より視認及び破壊の出来ない屋内側に容易に取付可能とし、施錠者による施錠負担及び施錠忘れの無い構成とする為に主錠による施錠状態が屋外側よりの前記抉開け手段によって非施錠状態から施錠状態となる補助錠とし施錠作業を不要とし、また該補助錠は安価に提供可能とする為に複雑な施錠機構とせず構成部材同士を係止状とすることにより施錠状態となり補助錠として働くことを可能とした玄関等扉防犯用係止具の提供を課題とする。
【０００６】
【課題を解決するための手段】
上記課題を解決する為に本発明により、玄関等扉とその扉枠のうち何れか一方に取付する基部及び該基部より突出した先端部に係止傘を有する係止軸よりなる係止軸部材と、他方に取付する基部及び該基部より突出した該玄関等扉と概ね平行としてあり該係止軸を概ね直交状に挿通可能の大きさとしてある係止孔を穿孔した係止板よりなる係止板部材とよりなり、玄関等扉とその扉枠とに該玄関等扉の閉扉状態において係止板部材の係止孔に該係止板と概ね直交に係止軸部材の係止軸を係止傘と係止軸部材基部との間において挿通状となるよう係止軸部材と係止板部材とを其々の基部を介して取付けし、玄関等扉とその扉枠との施錠機構付近に取付することによって施錠状態にある該玄関等扉を屋外側より扉と扉枠との間にバール等を差込し抉開けし扉と扉枠の少なくとも一方を歪めることにより該玄関等扉のストライクプレートやデッドボルトやラッチボルト等よりなる施錠機構を無力化し施錠状態を解除する抉開け手段に対し、該侵入手段による扉と扉枠の少なくとも一方の歪みによって係止軸部材と係止板部材それぞれの基部のうち少なくとも一方が傾き係止軸と係止板とがなす角度が変化し概ね直交の挿通状でなくなり係止傘と係止板とが係止状となり扉を開く事を困難とすることを可能とした玄関等扉防犯用係止具とする。
【０００７】
尚、屋外側に開扉する外開の玄関等扉においては該玄関等扉の屋内側面に取付する基部及び該基部より突出した先端部に係止傘を有する係止軸よりなる係止軸部材と、該玄関等扉の屋内側に戸当りとしてある扉枠に取付する基部及び該基部より突出した該玄関等扉の屋内側面と概ね平行の係止孔を穿孔した係止板よりなる係止板部材とよりなり、屋内側に開扉する内開の玄関等扉においては該玄関等扉の屋内側面に取付する基部及び該基部より該玄関等扉の内側面外部に伸出した該玄関等扉の屋内側面と概ね平行の係止孔を穿孔した係止板よりなる係止板部材と、該玄関等扉の屋内側扉枠の該玄関等扉の屋内側面と概ね平行の面に取付する基部及び該基部より垂直に突出した先端部に係止傘を有する係止軸よりなる係止軸部材とよりなり、玄関等扉とその扉枠とに該玄関等扉を閉じた状態において係止板部材の係止孔に該係止板と概ね直交に係止軸部材の係止軸を係止傘と係止軸部材基部との間において挿通状となるよう係止軸部材と係止板部材とを其々の基部を介して取付し玄関等扉防犯用係止具とし、また係止傘の係止軸の軸線方向よりの輪郭を多角形とし且つ係止孔を該係止傘の輪郭の概ね拡大相似形とする事により係止効果を助長してあることが好ましい。
【０００８】
【発明の実施の形態】
以下、請求項１に開示した発明である玄関等扉防犯用係止具１０を、請求項２に開示した発明による代表的な実施の形態である外開玄関等扉防犯用係止具２０、及び請求項３に開示した発明による代表的な実施の形態である内開玄関等扉防犯用係止具３０によって、請求項４に開示した発明と共に併せて詳説する。
【０００９】
第一の実施の形態として本発明による玄関等扉防犯用係止具１０を、玄関等扉２１を玄関等扉枠２２と屋外側に開扉可能に蝶番結合し、該玄関等扉枠２２には閉扉時に該玄関等扉２１の屋内側に縁部を当接する当接部２３のある戸当２４を有し、また該玄関等扉２１には錠箱と該錠箱より突出するデッドボルトやラッチボルト等の施錠機構が設けられ、該玄関等扉枠２２には該施錠機構との対応個所にストライクプレートが設けられ閉扉時に施錠可能とした屋外側に開扉する外開玄関等扉２１及びその扉枠２２（以下、本実施例において玄関等扉及びその扉枠という。）に取付する為、該玄関等扉２１の屋内側面２５に取付する係止軸部材１１と、該玄関等扉枠の屋内側に取付する係止板部材１６とよりなる外開玄関等扉防犯用係止具２０とする。
【００１０】
係止板部材１６は該玄関等扉枠２２の屋内側に取付する基部１７及び該基部より係止孔１９を穿孔した係止板１８が突出しており、該係止板部材基部１７を介し玄関等扉枠２２の戸当２４の当接部２３より屋内側に閉扉した玄関等扉２１の屋内側面２５と該係止板１８とが概ね平行となる様取付し、係止軸部材１１は玄関等扉２１の屋内側面２５に取付する基部１２及び該基部１２より突出した先端部に係止傘１４を有する係止軸１３よりなり、該玄関等扉２１の閉扉時に前記係止板部材１６の係止孔１９に該係止軸１３が係止傘１４乃至係止軸部材基部１２間において挿通状態となり、又該玄関等扉２１の開閉時に係止軸部材１１と係止板部材１６とが接触しない様に該係止軸部材基部１２を介し玄関等扉２１屋内側面２５に係止軸１３が該屋内側面２５に対し概ね垂直に立設する様取付する。
【００１１】
第二の実施の形態として本発明による玄関等扉防犯用係止具１０を、玄関等扉３１を玄関等扉枠３２と屋内側に開扉可能に蝶番結合し、該玄関等扉枠３２には閉扉時に該玄関等扉３１の屋外側に縁部を当接する当接部３３のある戸当３４を有し、また該玄関等扉３１には錠箱と該錠箱より突出するデッドボルトやラッチボルト等の施錠機構が設けられ、該玄関等扉枠３２には該施錠機構との対応個所にストライクプレートが設けられ閉扉時に施錠可能とした屋内側に開扉する内開玄関等扉３１及びその扉枠３２（以下、本実施例において玄関等扉及びその扉枠という。）に取付する為、該玄関等扉３１の屋内側面３５に取付する係止板部材１６と、該玄関等扉枠３２の屋内側面に取付する係止軸部材１１とよりなる内開玄関等扉防犯用係止具３０とする。
【００１２】
係止板部材１６は該玄関等扉３１の屋内側面３５に取付する基部１７及び該基部１７より該玄関等扉３１の屋内側面３５外部に係止孔１９を穿孔した係止板１８が伸出しており、該係止板部材基部１７を介して係止板１８と玄関等扉３１の屋内側面３５とが概ね平行とる様取付し、係止軸部材１１は該玄関等扉枠３２の屋内側面に取付する基部１２及び該基部１２より突出した先端部に係止傘１４を有する係止軸１３よりなり、該玄関等扉３１の閉扉時に前記係止板部材１６の係止孔１９に該係止軸１３が係止傘１４乃至係止軸部材基部１２間において挿通状態となり、又該玄関等扉３１の開閉時に係止軸部材１１と係止板部材１６とが接触しない様に該係止軸部材基部１２を介しては該玄関等扉枠３２の屋内側であって該玄関等扉３１の屋内側面３５と概ね平行の面に係止軸１３が閉扉時の該玄関等扉３１の屋内側面３５に対し概ね垂直に立設する様取付する。
【００１３】
上述した第一実施例及び第二実施例において、係止軸部材１１は板状の基部１２を有しており、該係止軸部材基部１２に穿孔した所要複数の螺子孔に螺子を挿通し玄関等扉２１又は玄関等扉枠３２に締着固定し或は螺子孔を設けず溶接等し固定状に取付可能としてあり、同様に係止板部材１６も板状の基部１７を有しており、該係止板部材基部１７に穿孔した所要複数の螺子孔に螺子を挿通し玄関等扉枠２２又は玄関等扉３１に締着固定し或は螺子孔を設けず溶接等し固定状に取付可能としてあるが、係止軸部材１１及び係止板部材１６は板状の基部１２，１７を設けず、係止軸部材１１の係止軸１３の玄関等扉２１又は玄関等扉枠３２への取付側端部を基部１２とし、係止板部材１６の係止板１８の玄関等扉枠２２又は玄関等扉３１への取付側端部を基部１７とし、玄関等扉２１，３１又は玄関等扉枠２２，３２に螺子締結又は溶接等により直接取付し固定状としてもよい。
【００１４】
係止軸部材１１の係止傘１４は係止軸部材基部１２側の係止傘底部１５を係止軸１３の軸線方向と概ね直交状の概ね平面とし、該係止傘底部面１５は係止板部材１６の係止孔１９より小であって柱状の係止軸１３の軸線方向との直交断面より大とし、好ましくは該係止傘底部面１５は係止板部材１６の係止孔１９と概ね縮小相似形の多角形とし、該係止傘１４と該係止軸１３との間に段差による係止部を成し、係止軸１３を玄関等扉２１，３１の閉扉時に該係止傘１４及び該係止部を係止板１８の屋内側に突出させ係止軸１３が係止孔１９に挿通状となり、該玄関等扉２１，３１の開閉時に係止軸部材１１と係止板部材１６とが接触しない長さ寸法とすることにより、該玄関等扉２１，３１の閉扉時に係止軸部材１１の係止軸１３と係止板部材１６の係止板１８との成す角度が直交状でなくなった際に係止軸部材１１の係止部と係止板部材１６の係止板１８とが係止状となり該玄関等扉２１，３１の開扉が出来なくなる。
【００１５】
上述した構成により、玄関等扉防犯用係止具１０は玄関扉に限らず防犯を要すあらゆる開戸状としてある玄関等扉２１，３１に取付可能であり、外部よりの抉開けによる玄関等扉２１，３１及び玄関等扉枠２２，３２の変形により玄関等扉防犯用係止具１０を取付した面に生ずる歪みにより係止軸部材１１の係止傘１４と係止板部材１６の係止板１８とが係止状となり、また単数又は所要複数取付できるが該取付位置は抉開けを行った際に抉開け工具を差込する位置に近いほど玄関等扉２１，３１及び玄関等扉枠２２，３２の変形も大きく玄関等扉防犯用係止具１０を取付した面の歪みも大となる為、少なくとも玄関等扉２１，３１及び玄関等扉枠２２，３２の主錠の施錠機構付近に取付することが望ましい。
【００１６】
【発明の効果】
本発明により主錠を取付してある外開又は内開の玄関等扉とその扉枠とに上述した構成による玄関等扉防犯用係止具を取付し、該玄関等扉を閉扉した主錠による施錠状態において該主錠の施錠状態の無力化を目的とした屋外側より該玄関等扉とその扉枠との間隙にバール等の工具による抉開け手段に伴い、該玄関等扉とその扉枠との変形によって該玄関等扉及び扉枠の玄関等扉防犯用係止具を取付してある面も歪み、該玄関等扉防犯用係止具の係止軸部材の係止傘と係止板部材の係止板とが係止状となり、該玄関等扉の主錠の施錠状態が無力化されても該玄関等扉防犯用係止具により該玄関等扉は係止状となるため開扉困難となる、主錠と共に取付する屋外側より視認及び破壊の出来ない屋内側に容易に取付可能とし、施錠者による施錠作業を不要とし施錠負担及び施錠忘れの無く、また簡易な機構とし安価に提供可能とした玄関等扉防犯用係止具となる。
【図面の簡単な説明】
【図１】外開玄関等扉防犯用係止具の取付状態を示す斜視図。
【図２】外開玄関等扉防犯用係止具の取付状態を示す断面図。
【図３】外開玄関等扉用とした係止軸部材の斜視図。
【図４】外開玄関等扉用とした係止板部材の斜視図。
【図５】内開玄関等扉防犯用係止具の取付状態を示す斜視図。
【図６】内開玄関等扉防犯用係止具の取付状態を示す断面図。
【図７】内開玄関等扉用とした係止軸部材の斜視図。
【図８】内開玄関等扉用とした係止板部材の斜視図。
【図９】外開玄関等扉防犯用係止具取付の効果を示す断面図。
【図１０】内開玄関等扉防犯用係止具取付の効果を示す断面図。
【符号の説明】
１０  玄関等扉防犯用係止具
１１  係止軸部材
１２  係止軸部材基部
１３  係止軸
１４  係止傘
１５  係止傘底部
１６  係止板部材
１７  係止板部材基部
１８  係止板
１９  係止孔
２０  外開玄関等扉防犯用係止具
２１  外開玄関等扉
２２  外開玄関等扉枠
２３  当接部
２４  戸当
２５  屋内側面
３０  内開玄関等扉防犯用係止具
３１  内開玄関等扉
３２  内開玄関等扉枠
３３  当接部
３４  戸当
３５  屋内側面
【図１】
2004346564.tif 000003
【図２】
2004346564.tif 000004
【図３】
2004346564.tif 000005
【図４】
2004346564.tif 000006
【図５】
2004346564.tif 000007
【図６】
2004346564.tif 000008
【図７】
2004346564.tif 000009
【図８】
2004346564.tif 000010
【図９】
2004346564.tif 000011
【図１０】
2004346564.tif 000012